(57)【要約】  【課題】  刃体に多数の櫛溝が切り込まれて櫛歯１２が並設形成された櫛刃と、棒刃とを枢着させた梳鋏であって、梳鋏の櫛溝に入った髪の抜けのスムーズな梳鋏を提供すること。【解決手段】  棒刃を閉じた時には棒刃に覆われることのない櫛歯１２基端付近の櫛刃裏面Ｘに凹溝１３が凹設されたこと。  【選択図】  図２
2005143528.tif 000002
【特許請求の範囲】
【請求項１】
刃体に多数の櫛溝が切り込まれて櫛歯が並設形成された櫛刃と、棒刃とを枢着させた梳鋏であって、
前記棒刃を閉じた時には前記棒刃に覆われることのない櫛歯基端付近の櫛刃裏面、が凹設されたことを特徴とする梳鋏。
【請求項２】
刃体に多数の櫛溝が切り込まれて櫛歯が並設形成された櫛刃と、棒刃とを枢着させた梳鋏であって、
前記棒刃を閉じた時には前記棒刃に覆われることのない前記櫛溝の底部周縁の櫛刃裏面、が凹設されたことを特徴とする梳鋏。
【請求項３】
請求項１又は２記載の発明において、櫛刃裏面の凹設された箇所に対応した櫛刃表面の箇所が凹設されたことを特徴とする梳鋏。
【発明の詳細な説明】
【技術分野】
【０００１】
この発明は、櫛刃と棒刃を枢着させた梳鋏の改良に関し、詳しくは、髪を梳き切った際に櫛刃の櫛溝に溜まる髪の、櫛溝からの抜けが滑らかな梳鋏に関する。
【背景技術】
【０００２】
梳鋏１０１は、図９に示す様に、櫛刃１１０と棒刃１２０が枢着されており、櫛刃１１０には、この櫛刃１１０の刃先側から多数の櫛溝１１１，１１１，…が切り込まれることにより、櫛歯１１２，１１２，…が並設形成されている（特許文献１参照）。この様な梳鋏で髪を梳き切ると、一部の髪が切られ、残りの切られなかった髪Ｈは櫛溝の底部１１１ａに溜まることとなる。
【０００３】
この場合、梳鋏１０１を開いて櫛溝１１１の髪Ｈを放しながら次の閉じ操作に移り、以後、同様の動作を繰り返している。
【０００４】
ただこれとは別に、閉じて髪が櫛溝に溜まった状態の梳鋏を開くのではなく、閉じたままの状態で髪先の方に梳鋏をズラして髪を櫛溝から抜く場合もある。切った髪を振り払う目的でこの様な操作が好適な為であり、閉じた梳鋏から髪を抜き、梳鋏を開いて次ぎの髪梳き動作に入るのである。
【０００５】
また髪の切り方の一つに、スライディングカットと呼ばれる方法があるが、この場合にも、櫛溝から髪を抜く動作が伴う。スライディングカットとは、例えば開いたカット鋏を髪の長手に対して斜めに入れ、カット鋏を少しづつ閉じながら髪先の方にズラしてゆく切り方である。不揃いな切り方ができ、自然な感じが出せる点でこの様なカット技術が好まれている。
このスライディングカットは梳鋏でも可能であり、開いたままの梳鋏に髪束を斜めにくわえ、毛束を斜めに横切る様にしてそのまま毛先方向にスライディングさせるのである。すると、一部の髪が切れながら、他の髪は櫛溝に入り込むが、梳鋏が毛先へと動いているので、最終的には櫛溝から抜けるのである。
【特許文献１】登録第１１０１８７８号の意匠公報
【発明の開示】
【発明が解決しようとする課題】
【０００６】
梳鋏から髪を抜く時には、抜きに対する抵抗が生じ、髪梳き作業がし難くなっている。これは、髪を櫛溝から抜く時には、図１０に示す様に櫛歯１１２の側面１１２ａに擦れながら抜くこととなり、この側面１１２ａとの擦れや摩擦が、髪のスムーズな抜けを阻害する抵抗となっている。
また櫛溝周縁の角部分に髪が擦れるのでこれが抵抗になり、また髪を角部分で傷つけることとなっている。または梳鋏１０１は、刃体の平面（例えば刃裏の面）が、髪に対して直角な位置関係にいつも保たれている訳ではなく、梳鋏１０１の向きによっては、図１１に示す様に、櫛溝１１１に入った髪Ｈが、刃体の表裏（Ｘ，Ｙ）に貫通する櫛溝１１１の方向と異なった場合には特に上下の角１１２ｂによる抜け抵抗が大になって、梳鋏による髪梳き作業に支障が出てしまう。
【０００７】
上記の課題を鑑み、本願発明の解決しようとする課題は、梳鋏の櫛溝に入った髪の抜けのスムーズな梳鋏を提供することにある。
【課題を解決するための手段】
【０００８】
以上の課題を解決するため、本願請求項１記載の梳鋏の発明は、刃体に多数の櫛溝が切り込まれて櫛歯が並設形成された櫛刃と、棒刃とを枢着させた梳鋏であって、前記棒刃を閉じた時にも前記棒刃に覆われることのない櫛歯基端付近の櫛刃裏面、が凹設されたことを特徴とする。
例えば、櫛刃裏面の当該箇所に櫛刃に長手方向の凹溝を凹設するなどするのである。
【０００９】
請求項２記載の梳鋏の発明は、刃体に多数の櫛溝が切り込まれて櫛歯が並設形成された櫛刃と、棒刃とを枢着させた梳鋏であって、前記棒刃を閉じた時にも前記棒刃に覆われることのない前記櫛溝の底部周縁の櫛刃裏面、が凹設されたことを特徴とする。
例えば、櫛溝の底部において、この底部の周縁部分をこの周縁に沿って応接するのである。
【００１０】
請求項３記載の梳鋏の発明は、請求項１又は２記載の発明において、櫛刃裏面の凹設された箇所に対応した櫛刃表面の箇所が凹設されたことを特徴とする。
【発明の効果】
【００１１】
本願発明によれば、髪を梳いた時に髪の溜まる櫛歯基端付近、換言すれば櫛溝の底部周縁は、その刃表と刃裏との厚みが薄くなり、その為、髪が擦れる櫛歯の側面部分かが小さくなり、それだけ、髪の抜けの抵抗が無くなり、スムーズに抜ける。
またこの様に厚みが薄くなると、櫛溝に入った毛束が刃体の表裏に貫通する櫛溝の方向と異なった向きの場合でも、後述する実施例１の図６に示されている様に、櫛溝の上下の角に引っかかるなどの抜け抵抗が生じ難くなり、抜け抵抗の無いスムーズな髪の抜けが実現できる。
【発明を実施するための最良の形態】
【００１２】
次ぎに、本願発明の実施例を説明する。
（実施例１）：図１に示すのは、刃体に多数の櫛溝１１，１１，…が切り込まれて櫛歯１２，１２，…が並設形成された櫛刃１０と、棒刃２０とを枢着させた梳鋏１である。この梳鋏１Ａの櫛刃１０は、図２に示す様に、櫛歯１２基端付近の櫛刃裏面Ｘに、櫛刃１０の長手方向に沿った凹溝１３が凹設されたものである。又この凹溝１３は、図３に示す様に、梳鋏１の棒刃を閉じた時には、この櫛歯１２の棒刃２０に覆われることのない櫛歯１２基端付近に位置している。又この凹溝１３は、櫛溝１１の底部１２ａよりも後退した峰１４よりの位置まで設けられている。
【００１３】
この櫛刃１０は、櫛溝１１を切り込む前の半製品の段階で、図４に示す様に、この半製品櫛刃１０ａの刃裏Ｘに凹溝１３を凹設し、その後に櫛溝の切り込みを行うことで形成できる。
【００１４】
この梳鋏１は、櫛刃１０にこの様な凹溝１３を設けることにより、その箇所の刃表Ｙと刃裏Ｘとの厚みが薄くなるが、その為に、髪を梳き切った時には図５に示す様に、櫛溝１１に溜まった髪Ｈが触れることとなる櫛歯の側面１２ａが小さくなり、これにより、髪Ｈを櫛刃１０から抜く際には、スムーズな抜けが得られる。またこの様に刃表Ｙと刃裏Ｘとの厚みが薄くなると、髪Ｈの向きが、図６に示す様に櫛刃１０の表裏（Ｙ，Ｘ）に貫通する櫛溝と異なった向きになった場合でも、左右の櫛歯１２の角１２ｂに擦れ難くなり、スムーズな抜けが実現するのであり、或いは角１２ｂに擦れた場合でも擦れ方が弱くて済むので、抜け抵抗が小さく、よりスムーズな抜けが可能となる。
【００１５】
（実施例２）：図７に示すのは、別の梳鋏の櫛刃１０の裏面を説明する図である。またこの実施例２の梳鋏は図示はしないが、櫛刃と棒刃を枢着させた点は実施例１の梳鋏と同様である。ただ図７に示されている様に、その櫛刃１０は、櫛溝１１の底部１１ａ周縁の櫛刃裏面Ｘが凹設され、つまり櫛歯１２基端や櫛溝底部１１ａの角の部分が段部１３ａに凹設されている。その際、櫛歯１２基端はこの櫛歯１２の幅中央１２ｂ付近は凹設されていない。この様な櫛刃１０であれば、髪を梳き切った時には、実施例１の梳鋏と同様に良好な髪の抜けが得られると共に、櫛歯１２基端に肉厚部分が残されることとなるので、櫛歯１２の強度が維持できる。
つまり、梳鋏を閉じて櫛刃と棒刃が交叉する時は、互いの刃先が押し合う状態なっているので髪が切れるのであるが、この押し合う力（触圧）は、ある程度あった方が理容鋏としては好適である。その点、櫛歯の基端は、その裏面に凹設されてない箇所があれば、この箇所では櫛歯の肉厚が保たれることとなり、よって櫛歯の強度も高まり、触圧を得やすくなるのである。
【００１６】
（実施例３）：図８に示すのは、実施例１の梳鋏１において、その櫛刃の刃表に凹溝を凹設したものの説明図であり、実施例１の図５に対応するものである。この実施例３の梳鋏は、その櫛刃１０の刃表Ｙの凹溝１３’が、櫛刃裏面Ｘの凹溝１３の箇所に対応した刃表Ｙの箇所に凹設されていて、概ね、表裏対称の配置となっている。
【００１７】
なお本願発明は上記実施例に限るものではなく、本願発明の出から逸脱しない範囲においてどの様に実施されてもよい。櫛歯の形状やその並び方はどの様であってもよく、凹設される凹溝などの形状や深さは様々であってよい。
【図面の簡単な説明】
【００１８】
【図１】この図は、実施例１に示す梳鋏の平面図である。
【図２】この図は、梳鋏の櫛刃だけの刃裏側の部分斜視図である。
【図３】この図は、梳鋏の底面図である。
【図４】この図は、櫛刃の半製品を説明する図である。
【図５】この図は、図３のＡ−Ａ断面における櫛溝と髪との関係を説明する図である。
【図６】この図は、図５のＢ−Ｂ端面図における櫛溝と髪との関係を説明する図である。
【図７】この図は、実施例２の梳鋏における櫛刃の裏面を説明する図である。
【図８】この図は、実施例３の梳鋏における櫛刃を説明する図である。
【図９】この図は、従来の梳鋏と髪髪との関係を説明する図である。
【図１０】この図は、図９のＣ−Ｃ断面における櫛溝と髪との関係を説明する図である。
【図１１】この図は、図１０のＤ−Ｄ端面図における櫛溝と髪との関係を説明する図である。
【符号の説明】
【００１９】
１    梳鋏
１０    櫛刃
１１    櫛溝
１１ａ  櫛溝の底部
１２    櫛歯
１２ａ  櫛歯の側面
１３，１３  凹溝
１３ａ  段部
２０    棒刃
Ｘ    刃裏
Ｙ    刃表
Ｈ    髪
【図１】
2005143528.tif 000003
【図２】
2005143528.tif 000004
【図３】
2005143528.tif 000005
【図４】
2005143528.tif 000006
【図５】
2005143528.tif 000007
【図６】
2005143528.tif 000008
【図７】
2005143528.tif 000009
【図８】
2005143528.tif 000010
【図９】
2005143528.tif 000011
【図１０】
2005143528.tif 000012
【図１１】
2005143528.tif 000013